(57)【要約】【課題】  複数の被検査者情報処理端末と医用画像処理装置（モダリティ）との間で情報の送受信を正確かつ迅速に行う画像転送装置（ゲートウエイ）を提供する。【解決手段】ゲートウエイ２にＭＷＭサーバ１，…，１の各ＩＰアドレスが予め登録され、同各ＩＰアドレスを用いて同ＭＷＭサーバ１，…，１からＬＡＮ５を介して患者情報が取得されて保存され、モダリティ３からの患者情報送信要求に基づいて、該当する患者情報が同モダリティ３へ送信される。この後、モダリティ３からの患者情報が付加された画像情報が受信されて画像サーバ４へ転送される。そして、モダリティ３を検査室Ａから検査室Ｂヘ移動設置しても、同モダリティ３側の設定及び操作を変えることなく運用が行われる。これにより、ＭＷＭサーバ１，…，１とモダリティ３との間で情報の送受信が正確かつ迅速に行われる。【選択図】図１
2006304895.tif 000002
【特許請求の範囲】
【請求項１】
被検査者に関する被検査者情報を作成して記録する複数の被検査者情報処理端末と、前記被検査者に対する検査時の少なくとも撮影画像を含む画像情報を取得して所定の処理を行う医用画像処理装置と、前記画像情報を記憶するための画像サーバとを有する病院情報システムに設けられ、
複数の前記被検査者処理端末から前記各被検査者情報を取得すると共に前記医用画像処理装置からの前記被検査者毎の被検査者情報送信要求に基づいて該当する被検査者情報を該医用画像処理装置へ送信する一方、該医用画像処理装置から当該被検査者情報が付加された前記画像情報を受信して前記画像サーバへ転送する構成とされていることを特徴とする医用画像転送装置。
【請求項２】
前記複数の被検査者情報処理端末は、通信回線を介して接続されると共に該通信回線に対応したネットワークアドレスがそれぞれ付与され、
当該医用画像転送装置は、
複数の前記被検査者情報処理端末の前記各ネットワークアドレスを予め登録し、前記各ネットワークアドレスを用いて前記各被検査者情報処理端末から前記通信回線を介して前記被検査者情報を取得し、前記医用画像処理装置からの前記被検査者情報送信要求に基づいて、該当する前記被検査者情報を該医用画像処理装置へ送信する構成とされていることを特徴とする請求項１記載の医用画像転送装置。
【請求項３】
複数の前記被検査者情報処理端末の前記各ネットワークアドレスを予め登録し、前記各ネットワークアドレスを用いて前記各被検査者情報処理端末が前記通信回線に接続されているか否かを確認する接続確認部と、
前記接続確認部により接続が確認されている前記被検査者情報処理端末へ被検査者情報取得要求を送信する被検査者情報取得要求部と、
該被検査者情報取得要求部により前記被検査者情報取得要求が送信された前記被検査者情報処理端末から前記通信回線を介して前記被検査者情報を取得する被検査者情報取得部と、
前記医用画像処理装置からの被検査者毎の被検査者情報送信要求に基づいて、前記被検査者情報取得部で取得された前記被検査者情報から該当する被検査者情報を選択して該医用画像処理装置へ送信する被検査者情報送信部と、
前記医用画像処理装置から当該被検査者情報が付加された前記画像情報を受信する画像受信部と、
該画像受信部で受信された前記画像情報を前記画像サーバへ送信する画像送信部とから構成されていることを特徴とする請求項２記載の医用画像転送装置。
【請求項４】
前記複数の被検査者情報処理端末、医用画像処理装置及び画像サーバ、及び当該医用画像転送装置は、
医用画像規格ＤＩＣＯＭ（Digital Imaging COmmunications in Medicine）に準拠した構成とされていることを特徴とする請求項１記載の医用画像転送装置。
【請求項５】
検査が行われた被検査者に関する被検査者情報を作成して記録する複数の被検査者情報処理端末と、前記被検査者に対する検査時の少なくとも撮影画像を含む画像情報を取得して所定の処理を行う医用画像処理装置と、前記画像情報を記憶するための画像サーバとを有する病院情報システムに医用画像転送装置を設けておき、
該医用画像転送装置が、複数の前記被検査者情報処理端末から前記各被検査者情報を取得すると共に前記医用画像処理装置からの前記被検査者毎の被検査者情報送信要求に基づいて該当する被検査者情報を該医用画像処理装置へ送信する一方、該医用画像処理装置から当該被検査者情報が付加された前記画像情報を受信して前記画像サーバへ転送することを特徴とする画像転送方法。
【請求項６】
前記複数の被検査者情報処理端末を、通信回線を介して接続すると共に該通信回線に対応したネットワークアドレスをそれぞれ付与しておき、
当該医用画像転送装置が、
複数の前記被検査者情報処理端末の前記各ネットワークアドレスを予め登録し、前記各ネットワークアドレスを用いて前記各被検査者情報処理端末から前記通信回線を介して前記被検査者情報を取得し、前記医用画像処理装置からの前記被検査者情報送信要求に基づいて、該当する前記被検査者情報を該医用画像処理装置へ送信することを特徴とする請求項５記載の画像転送方法。
【請求項７】
コンピュータに請求項１乃至４のうちのいずれか一に記載の医用画像転送装置を制御させるための画像転送制御プログラム。
【発明の詳細な説明】
【技術分野】
【０００１】
この発明は、医用画像転送装置、該医用画像転送装置に用いられる画像転送方法及び画像転送制御プログラムに係り、特に、複数の被検査者情報処理端末に対して１つの医用画像処理装置（モダリティ）で各種処理を行う場合に用いて好適な医用画像転送装置、該医用画像転送装置に用いられる画像転送方法及び画像転送制御プログラムに関する。
【背景技術】
【０００２】
病院情報システム（Hospital Information System 、以下、「ＨＩＳ」ともいう）は、診療報酬処理から発展し、業務管理システムとして多くの医療機関で活用されている。現在のＨＩＳでは、業務管理だけでなく、被検査者の診療に役立てるシステムへ拡張するために、同ＨＩＳで得られる検査データなどの情報のオンライン化や電子カルテ化なども行われるようになってきている。このため、たとえば、超音波検査装置、内視鏡検査装置、Ｘ線検査装置などのモダリティのメーカも、他社のコンピュータとの接続による情報交換のための標準的な医用画像規格であるＤＩＣＯＭ（Digital Imaging COmmunications in Medicine）を取り入れることにより、コンピュータがモダリティと接続されることによって被検査者情報の取得などを行うことができるようにしている。この被検査者情報は、ＨＩＳからＭＷＭ（Modality Worklist Management）サーバなどの被検査者情報処理端末に送られ、各モダリティからの問い合わせにより、同ＭＷＭサーバから必要な被検査者情報が送出されるようになっている。被検査者情報処理端末は、たとえばパソコンなどで構成され、検査が行われた被検査者に関する被検査者情報（たとえば、被検査者ＩＤ、被検査者名、生年月日、性別など）を作成して記録する。
【０００３】
この種のＨＩＳでは、１台のＭＷＭサーバで、たとえば、超音波検査の被検査者、内視鏡検査の被検査者、Ｘ線検査の被検査者など、多数の被検査者情報が記録されている。このため、たとえば、複数台の超音波診断装置のうちの１台の超音波診断装置により１台のＭＷＭサーバから被検査者情報を取得しようとすると、この１台のＭＷＭサーバに他の超音波検査の被検査者の被検査者情報も保管されていることがあるため、他の超音波検査の被検査者の被検査者情報のすベてが取り込まれる。ここで取り込まれた被検査者情報から１人の被検査者の被検査者情報が選択されて検査が行われるが、被検査者の人数が多い場合などでは、被検査者の取り違えなど、選択ミスが起こる可能性がある。そこで、各病院では、ＭＷＭサーバとなるパソコンを、モダリティ又は検査室毎に配置し、１人の被検査者の被検査者情報のみを作成してモダリティに送信するようにし、被検査者の取り違えをなくすようにしている。このように、従来では、１台のＭＷＭサーバからの被検査者情報がモダリティに取得されるシステムについては、ほぼ確立されている。なお、現状では、上記従来の技術に関する適切な先行技術文献情報はない。
【発明の開示】
【発明が解決しようとする課題】
【０００４】
しかしながら、上記従来の病院情報システムでは、次のような問題点があった。
すなわち、モダリティが、ある検査室ＡでＭＷＭサーバに接続されて使用されていた後、他の検査室Ｂへ移動した場合、各室のＭＷＭサーバは移動しないため、同モダリティの移動先（検査室Ｂ）のＭＷＭサーバが使用されることになるが、この場合、検査室ＡのＭＷＭサーバと検査室ＢのＭＷＭサーバとでは、ＩＰ（インターネットプロトコル）アドレスが異なるため、検査室ＢのＭＷＭサーバに同モダリティが接続できないという問題点がある。このため、異なるＭＷＭサーバにモダリティを接続する場合は、モダリティ側のＩＰアドレスの設定を変更するか、あるいは、必要なデータを手作業で入力したり、操作を変更する必要があり、煩雑な作業が発生するという問題点がある。
【０００５】
この発明は、上述の事情に鑑みてなされたもので、複数の被検査者情報処理端末と医用画像処理装置（モダリティ）との間で情報の送受信を正確かつ迅速に行い、被検査者の取り違えなどが発生しない医用画像転送装置を提供することを目的としている。
【課題を解決するための手段】
【０００６】
上記課題を解決するために、請求項１記載の発明は、医用画像転送装置に係り、被検査者に関する被検査者情報を作成して記録する複数の被検査者情報処理端末と、前記被検査者に対する検査時の少なくとも撮影画像を含む画像情報を取得して所定の処理を行う医用画像処理装置と、前記画像情報を記憶するための画像サーバとを有する病院情報システムに設けられ、複数の前記被検査者処理端末から前記各被検査者情報を取得すると共に前記医用画像処理装置からの前記被検査者毎の被検査者情報送信要求に基づいて該当する被検査者情報を該医用画像処理装置へ送信する一方、該医用画像処理装置から当該被検査者情報が付加された前記画像情報を受信して前記画像サーバへ転送する構成とされていることを特徴としている。
【０００７】
請求項２記載の発明は、請求項１記載の医用画像転送装置に係り、前記複数の被検査者情報処理端末は、通信回線を介して接続されると共に該通信回線に対応したネットワークアドレスがそれぞれ付与され、当該医用画像転送装置は、複数の前記被検査者情報処理端末の前記各ネットワークアドレスを予め登録し、前記各ネットワークアドレスを用いて前記各被検査者情報処理端末から前記通信回線を介して前記被検査者情報を取得し、前記医用画像処理装置からの前記被検査者情報送信要求に基づいて、該当する前記被検査者情報を該医用画像処理装置へ送信する構成とされていることを特徴としている。
【０００８】
請求項３記載の発明は、請求項２記載の医用画像転送装置に係り、複数の前記被検査者情報処理端末の前記各ネットワークアドレスを予め登録し、前記各ネットワークアドレスを用いて前記各被検査者情報処理端末が前記通信回線に接続されているか否かを確認する接続確認部と、前記接続確認部により接続が確認されている前記被検査者情報処理端末へ被検査者情報取得要求を送信する被検査者情報取得要求部と、該被検査者情報取得要求部により前記被検査者情報取得要求が送信された前記被検査者情報処理端末から前記通信回線を介して前記被検査者情報を取得する被検査者情報取得部と、前記医用画像処理装置からの被検査者毎の被検査者情報送信要求に基づいて、前記被検査者情報取得部で取得された前記被検査者情報から該当する被検査者情報を選択して該医用画像処理装置へ送信する被検査者情報送信部と、前記医用画像処理装置から当該被検査者情報が付加された前記画像情報を受信する画像受信部と、該画像受信部で受信された前記画像情報を前記画像サーバへ送信する画像送信部とから構成されていることを特徴としている。
【０００９】
請求項４記載の発明は、請求項１記載の医用画像転送装置に係り、前記複数の被検査者情報処理端末、医用画像処理装置及び画像サーバ、及び当該医用画像転送装置は、医用画像規格ＤＩＣＯＭ（Digital Imaging COmmunications in Medicine）に準拠した構成とされていることを特徴としている。
【００１０】
請求項５記載の発明は、画像転送方法に係り、検査が行われた被検査者に関する被検査者情報を作成して記録する複数の被検査者情報処理端末と、前記被検査者に対する検査時の少なくとも撮影画像を含む画像情報を取得して所定の処理を行う医用画像処理装置と、前記画像情報を記憶するための画像サーバとを有する病院情報システムに医用画像転送装置を設けておき、該医用画像転送装置が、複数の前記被検査者情報処理端末から前記各被検査者情報を取得すると共に前記医用画像処理装置からの前記被検査者毎の被検査者情報送信要求に基づいて該当する被検査者情報を該医用画像処理装置へ送信する一方、該医用画像処理装置から当該被検査者情報が付加された前記画像情報を受信して前記画像サーバへ転送することを特徴としている。
【００１１】
請求項６記載の発明は、請求項５記載の画像転送方法に係り、前記複数の被検査者情報処理端末を、通信回線を介して接続すると共に該通信回線に対応したネットワークアドレスをそれぞれ付与しておき、当該医用画像転送装置が、複数の前記被検査者情報処理端末の前記各ネットワークアドレスを予め登録し、前記各ネットワークアドレスを用いて前記各被検査者情報処理端末から前記通信回線を介して前記被検査者情報を取得し、前記医用画像処理装置からの前記被検査者情報送信要求に基づいて、該当する前記被検査者情報を該医用画像処理装置へ送信することを特徴としている。
【００１２】
請求項７記載の発明は、画像転送制御プログラムに係り、コンピュータに請求項１乃至４のうちのいずれか一に記載の医用画像転送装置を制御させることを特徴としている。
【発明の効果】
【００１３】
この発明の構成によれば、医用画像転送装置は、複数の被検査者情報処理端末から各被検査者情報を取得すると共に医用画像処理装置からの被検査者毎の被検査者情報送信要求に基づいて該当する被検査者情報を同医用画像処理装置へ送信する一方、同医用画像処理装置から当該被検査者情報が付加された画像情報を受信して画像サーバへ転送する構成とされているので、各被検査者情報処理端末と医用画像処理装置との間で情報の送受信を正確かつ迅速に行うことができ、被検査者情報の取り違えや、同医用画像処理装置の移動により被検査者情報が取り込めなくなることがなくなり、被検査者の待ち時間を短縮できる。
【００１４】
また、医用画像転送装置に各被検査者情報処理端末のネットワークアドレスが予め登録され、同各ネットワークアドレスを用いて同各被検査者情報処理端末から通信回線を介して被検査者情報が取得されて保存され、医用画像処理装置からの被検査者情報送信要求に基づいて、該当する被検査者情報が同医用画像処理装置へ送信される。この後、医用画像処理装置からの被検査者情報が付加された画像情報が受信されて画像サーバへ転送される。これにより、各被検査者情報処理端末と医用画像処理装置との間で情報の送受信が正確かつ迅速に行われ、被検査者情報の取り違えや、同医用画像処理装置の移動により被検査者情報が取り込めなくなることがなくなり、被検査者の待ち時間の短縮を実現でき、同医用画像処理装置をある検査室から他の検査室ヘ移動設置しても、同医用画像処理装置側の設定及び操作を変えることなく運用を行うことができる。
【発明を実施するための最良の形態】
【００１５】
複数の被検査者情報処理端末の各ネットワークアドレスを予め登録し、同各ネットワークアドレスを用いて同各被検査者情報処理端末から通信回線を介して被検査者情報を取得し、医用画像処理装置からの被検査者情報送信要求に基づいて、該当する被検査者情報を同医用画像処理装置へ送信する医用画像転送装置を提供する。
【実施例】
【００１６】
図１は、この発明の一実施例である医用画像転送装置が設けられている病院情報システムの要部の構成を示すブロック図である。
この例の病院情報システムは、同図に示すように、ＭＷＭ（Modality Worklist Management）サーバ１，…，１と、ゲートウエイ（医用画像転送装置）２と、モダリティ３と、画像サーバ４と、ＬＡＮ（ローカル・エリア・ネットワーク）５とから構成されている。ＭＷＭサーバ１，…，１は、たとえばパソコンなどで構成され、検査が行われた患者（被検査者）に関する患者情報（たとえば、患者ＩＤ、患者名、生年月日、性別など）を作成して記録する。特に、この実施例では、ＭＷＭサーバ１，…，１は、たとえば病院内に構築されているＬＡＮ５を介して接続されると共に同ＬＡＮ５に対応したネットワークアドレス（たとえば、ＩＰアドレス）がそれぞれ付与されている。
【００１７】
モダリティ３は、患者に対する検査時の少なくとも撮影画像を含む画像情報を取得して所定の処理を行う医用画像処理装置であり、たとえば、超音波検査装置、内視鏡検査装置、Ｘ線検査装置などである。画像サーバ４は、たとえばフレームメモリなどで構成され、モダリティ３で処理された画像情報を記憶する。ゲートウエイ２は、ＭＷＭサーバ１，…，１から各患者情報を取得すると共にモダリティ３からの患者毎の患者情報送信要求に基づいて該当する患者情報を同モダリティ３へ送信する一方、同モダリティ３ら当該患者情報が付加された画像情報を受信して画像サーバ４へ転送する。特に、この実施例では、ゲートウエイ２は、ＭＷＭサーバ１，…，１の各ネットワークアドレス（ＩＰアドレス）を予め登録し、同各ネットワークアドレスを用いて同ＭＷＭサーバ１，…，１からＬＡＮ５を介して患者情報を取得し、モダリティ３からの患者情報送信要求に基づいて、該当する患者情報を同モダリティ３へ送信する。これらのＭＷＭサーバ１，…，１、ゲートウエイ２、モダリティ３及び画像サーバ４は、医用画像規格ＤＩＣＯＭ（Digital Imaging COmmunications in Medicine）に準拠した構成とされている。
【００１８】
図２は、図１中のゲートウエイ２の構成を示すブロック図である。
このゲートウエイ２は、同図２に示すように、ワークリスト要求部１１と、接続確認部１２と、ワークリスト取得部１３と、ワークリスト送信部１４と、画像受信部１５と、画像送信部１６と、ＣＰＵ（中央処理装置）１７と、ＲＯＭ（リードオンリメモリ）１８とから構成されている。接続確認部１２は、ＭＷＭサーバ１，…，１の各ＩＰアドレスをＩＰアドレス登録部１２ａに予め登録し、同各ＩＰアドレスを用いて同各ＭＷＭサーバ１，…，１がＬＡＮ５に接続されているか否かを確認する。ワークリスト要求部１１は、接続確認部１２により接続が確認されているＭＷＭサーバ１，…，１へ患者情報取得要求を送信する。
【００１９】
ワークリスト取得部１３は、ワークリスト要求部１１から患者情報取得要求が送信されたＭＷＭサーバ１，…，１からＬＡＮ５を介して患者情報を取得してメモリ１３ａに保存する。ワークリスト送信部１４は、モダリティ３からの患者毎の患者情報送信要求に基づいて、ワークリスト取得部１３で取得された患者情報から該当する患者情報を選択して同モダリティ３へ送信する。画像受信部１５は、モダリティ３から患者情報が付加された画像情報を受信する。画像送信部１６は、画像受信部１５で受信された画像情報を画像サーバ４へ送信する。ＣＰＵ１７は、ゲートウエイ２全体を制御し、ＲＯＭ（リードオンリメモリ）１８は、同ＣＰＵ１７を動作させるための画像転送制御プログラムが記録されている。
【００２０】
図３は、図１の病院情報システムのゲートウエイ２の動作を説明するフローチャートである。
この図を参照して、この例のゲートウエイ２に用いられる画像転送方法の処理内容について説明する。
先ず、ゲートウエイ２及びモダリティ３が検査室Ａに設置される。そして、ゲートウエイ２がＬＡＮ５に接続され、モダリティ３が同ゲートウエイ２に接続される。このゲートウエイ２では、ＭＷＭサーバ１，…，１の各ＩＰアドレスが予め登録され、同各ＩＰアドレスを用いて同ＭＷＭサーバ１，…，１からＬＡＮ５を介して患者情報が取得されて保存され、モダリティ３からの患者情報送信要求に基づいて、該当する患者情報が同モダリティ３へ送信される。この後、同モダリティ３からの患者情報が付加された画像情報が受信されて画像サーバ４へ転送される。
【００２１】
すなわち、ＭＷＭサーバ１，…，１の各ＩＰアドレスが接続確認部１２のＩＰアドレス登録部１２ａに予め登録されている。そして、接続確認部１２により、各ＩＰアドレスを用いてＭＷＭサーバ１，…，１がＬＡＮ５に接続されているか否かが確認される。接続確認部１２により接続が確認されているＭＷＭサーバ１，…，１に対して、ワークリスト要求部１１から患者情報取得要求が送信される。ワークリスト要求部１１により患者情報取得要求を送信したＭＷＭサーバ１，…，１から患者情報がＬＡＮ５を介してワークリスト取得部１３に送信されて取得され、メモリ１３ａに保存される（ステップＳ１）。患者情報がない場合は、繰り返して取得が行われる。モダリティ３から患者毎の患者情報送信要求がワークリスト送信部１４に送信される（ステップＳ２）。この場合、患者情報送信要求には、患者ＩＤが付されている。この患者情報送信要求は、繰り返し送信される。ワークリスト送信部１４では、ワークリスト取得部１３で取得された患者情報から患者ＩＤに対応する患者情報が選択され、たとえばシリアル通信により同モダリティ３へ送信される（ステップＳ３）。
【００２２】
一方、モダリティ３では、患者に対する検査に対して画像情報が取得され、この画像情報に患者情報が付加される。この患者情報が付加された画像情報は、たとえばシリアル通信により画像受信部１５へ送信される。画像受信部１５では、モダリティ３から患者情報が付加された画像情報が受信される（ステップＳ４）。そして、画像送信部１６により、画像受信部１５で受信された画像情報が画像サーバ４へ送信されて保管される（ステップＳ５）。この後、モダリティ３が検査室Ｂに移動設置された場合、同モダリティ３がＬＡＮ５を介してゲートウエイ２に接続され、同様の処理が行われる。ただし、モダリティ３とゲートウエイ２との間の情報の送受信は、ＬＡＮ５を介して行われる。
【００２３】
以上のように、この実施例では、ゲートウエイ２にＭＷＭサーバ１，…，１の各ＩＰアドレスが予め登録され、同各ＩＰアドレスを用いて同ＭＷＭサーバ１，…，１からＬＡＮ５を介して患者情報が取得されて保存され、モダリティ３からの患者情報送信要求に基づいて、該当する患者情報が同モダリティ３へ送信される。この後、同モダリティ３からの患者情報が付加された画像情報が受信されて画像サーバ４へ転送される。これにより、ＭＷＭサーバ１，…，１とモダリティ３との間で情報の送受信が正確かつ迅速に行われ、患者情報の取り違えや、モダリティ３の移動により患者情報が取り込めなくなることがなくなり、患者の待ち時間の短縮が実現する。また、モダリティ３を検査室Ａから検査室Ｂヘ移動設置しても、同モダリティ３側の設定及び操作を変えることなく運用が行われる。
【００２４】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、モダリティ３が検査室Ｂに移動設置された場合、同モダリティ３がＬＡＮ５を介してゲートウエイ２に接続されるようになっているが、ゲートウエイ２及びモダリティ３を検査室Ｂに移動設置し、上記実施例と同様に、同ゲートウエイ２をＬＡＮ５に接続し、モダリティ３を同ゲートウエイ２に接続しても良い。この場合、ゲートウエイ２は、モダリティ３に内蔵されていても良い。また、上記実施例では、被検査者は、患者となっているが、たとえば健康診断などで検査を受ける受診者でも良い。
【産業上の利用可能性】
【００２５】
この発明は、複数の被検査者情報処理端末に対して１つの医用画像処理装置（モダリティ）で各種処理を行う場合全般に適用できる。
【図面の簡単な説明】
【００２６】
【図１】この発明の一実施例である医用画像転送装置が設けられている病院情報システムの要部の構成を示すブロック図である。
【図２】図１中のゲートウエイ２の構成を示すブロック図である。
【図３】図１の病院情報システムのゲートウエイ２の動作を説明するフローチャートである。
【符号の説明】
【００２７】
１，…，１      ＭＷＭ（Modality Worklist Management）サーバ（被検査者情報処理端末）
２      ゲートウエイ（医用画像転送装置）
３      モダリティ（医用画像処理装置）
４      画像サーバ
５      ＬＡＮ（ローカル・エリア・ネットワーク、通信回線）
１１      ワークリスト要求部（被検査者情報送信要求部、医用画像転送装置の一部）
１２      接続確認部（医用画像転送装置の一部）
１３      ワークリスト取得部（被検査者情報取得部、医用画像転送装置の一部）
１４      ワークリスト送信部（被検査者情報送信部、医用画像転送装置の一部）
１５      画像受信部（医用画像転送装置の一部）
１６      画像送信部（医用画像転送装置の一部）
１７      ＣＰＵ（中央処理装置、医用画像転送装置の一部）
１８      ＲＯＭ（リードオンリメモリ、医用画像転送装置の一部）
【図１】
2006304895.tif 000003
【図２】
2006304895.tif 000004
【図３】
2006304895.tif 000005